(57)【要約】【課題】歯磨きチューブの吐出口を下向きに歯磨きチューブを保持することができる簡単な構造の歯磨きチューブ用ホルダーを提供する。【解決手段】歯磨きチューブの吐出口を下向きにして保持する歯磨きチューブ用ホルダーであって、歯磨きチューブを支持する支持板（３，１３）と、該支持板に対して略垂直に配置される載置板（５,１５）とを具備し、前記支持板（３，１３）は鉛直線に対して１０〜６０℃の角度で傾斜し、前記載置板（５,１５）は前記吐出口を挿入する開口（７,１７）を有する。【選択図】  図７
2011115254.tif 000002
【特許請求の範囲】
【請求項１】
歯磨きチューブの吐出口を下向きにして保持する歯磨きチューブ用ホルダーであって、
歯磨きチューブを支持する支持板と、該支持板に対して垂直に配置される載置板とを具備し、
前記支持板は、鉛直線に対して傾斜し、
前記載置板は、前記吐出口が挿入する開口を有する
ことを特徴とする歯磨きチューブ用ホルダー。
【請求項２】
前記開口は、前記載置板の正面方向に開放部を有するＵ字又は凹形状であることを特徴とする請求項１記載の歯磨きチューブ用ホルダー。
【請求項３】
前記載置板は、その長辺方向に所定間隔で２以上の前記開口を有することを特徴とする請求項１又は２記載の歯磨きチューブ用ホルダー。
【発明の詳細な説明】
【技術分野】
【０００１】
本発明は、歯磨きチューブ用ホルダーに関し、具体的には、歯磨きチューブの吐出口を下向きにして保持するための歯磨きチューブ用ホルダーに関する。
【背景技術】
【０００２】
従来、練り歯磨きが充填されたチューブを保管する場合、使用時に練り歯磨きの絞り出しを容易にするために、キャップの端面を平坦な面としてチューブの吐出口を下方に向けた状態で保管することが行われている。このことにより、練り歯磨きが自重で吐出口側へ移動するので、練り歯磨きを絞り出しし易くなる。しかしながら、このような単にキャップの平坦な端面を洗面所等のテーブル面に置くだけの方法では、チューブが容易に転倒してしまうという不具合がある。
【０００３】
また、基体に突設された略平行な一対の支持棒と、この支持棒に回転自在に被嵌され、チューブの両側面に、その最大幅よりも小さい幅を有する位置において当接する姿勢調整部材を備えているチューブホルダーが開発されている（特許文献１参照）。
【先行技術文献】
【特許文献】
【０００４】
【特許文献１】特開平９−２３８８１８号公報（段落［００１２］〜[００１５]）
【発明の概要】
【発明が解決しようとする課題】
【０００５】
しかしながら、上記チューブホルダーは、円柱状の先端部に小径の係止突起３ａが一体に突設された２つの支持棒３がそれぞれ基体２に突設され、この係止突起３ａに支持棒３の外径よりも大きな外径を有するフランジ５ａを備えた抜け止め部材５が取り付けられ、円筒状の姿勢調整部材４が支持棒３にスキマバメの状態で被嵌され、その先端に段部が形成され、その外周面に複数の突条４ａが形成されているものであり、構造が複雑である。
【０００６】
さらに、上記チューブホルダーは、使用に際して基体２を壁等に粘着剤や釘等の固定手段を用いて固定する構造であるので、洗面所の壁等にキズがつく、あるいは設置場所が制限されたり、適当な設置場所がない場合には使用できないという問題がある。
【０００７】
本発明は、このような従来の問題点に鑑みてなされたもので、歯磨きチューブの吐出口を下方に向けた状態で歯磨きチューブを保持することができる簡単な構造の歯磨きチューブ用ホルダーを提供することを目的とする。
【課題を解決するための手段】
【０００８】
本発明に係る歯磨きチューブ用ホルダーは、歯磨きチューブを支持する支持板と、該支持板に対して垂直に配置される載置板とを具備し、前記支持板は、鉛直線に対して傾斜し、前記載置板は、前記吐出口が挿入する開口を有することを特徴とする。
【０００９】
また、本発明に係る歯磨きチューブ用ホルダーは、前記載置板の正面方向に開放部を有するＵ字又は凹形状であることを特徴とする。
【発明の効果】
【００１０】
本発明に係る歯磨きチューブ用ホルダーは、鉛直線に対して傾斜する支持板と、該支持板に対して略垂直に配置された載置板と、該載置板には吐出口を挿入する開口を有するという簡単な構造であり、開口に歯磨きチューブの吐出口を挿入し、支持板にその本体を支持して、その吐出口を下方に向けた状態で歯磨きチューブを保持することができる。
【図面の簡単な説明】
【００１１】
【図１】歯磨きチューブ用ホルダー１の外観斜視図である。（実施例１）
【図２】歯磨きチューブ用ホルダー１の正面図である。（実施例１）
【図３】図２のＡ−Ａ断面図である。（実施例１）
【図４】歯磨きチューブ用ホルダー１の使用状態を示す断面図である。（実施例１）
【図５】歯磨きチューブ用ホルダー１０の外観斜視図である。（実施例２）
【図６】歯磨きチューブ用ホルダー１０の正面図である。（実施例２）
【図７】歯磨きチューブ用ホルダー１０の使用状態を示す外観斜視図である。（実施例２）
【発明を実施するための形態】
【００１２】
以下、添付図面を参照しながら本発明の実施例について詳細に説明するが、本発明は、これに限定されて解釈されるものではなく、本発明の範囲を逸脱しない限りにおいて、当業者の知識に基づいて、種々の変更、修正、改良を加え得るものである。
【実施例１】
【００１３】
図１は、本発明の実施例１に係る歯磨きチューブ用ホルダー１の外観を示し、図２はその正面図である。
歯磨きチューブ用ホルダー１は、歯磨きチューブの吐出口を下向きにした状態で保持するためのものであり、支持板３は、鉛直線に対して好ましくは１０〜６０℃の角度で傾斜して配置される。支持板３の傾きが鉛直線に対して１０℃の角度より小さくなると、歯磨きチューブが倒れやすくなり、鉛直線に対して６０℃の角度より大きくなると、歯磨きが歯磨きチューブの吐出口に自重で集まる力が弱くなる。載置板５は、支持板３に対して略垂直に配置されており、該載置板５には略円形の開口７が２つ設けられている。
【００１４】
図３は、図２のＡ−Ａ断面を示す。図３に示すように、本実施例では、支持板３の鉛直線に対する傾斜角度は略３０℃であり、載置板５は支持板３の下端から略垂直に延設されている。歯磨きチューブ用ホルダー１は、支持板３、載置板５を含めてすべての構成がプラスチック樹脂材料からなるが、ステンレスなどの金属や木材などを使用することもできる。
【００１５】
図４は、歯磨きチューブ用ホルダー１の使用状態の縦断面図である。
使用にあたっては、歯磨きチューブＡの吐出口Ｃに被せてあるキャップ（図示せず）を外し、吐出口Ｃを下方にして倒立状態とした後に、吐出口Ｃを載置板５に設けた開口７に挿入し、次いで、歯磨きチューブＡの本体Ｂを支持板３に倒して支持させる。この状態では、歯磨きチューブＡの本体Ｂは、支持板３にもたれて支持され、その吐出口Ｃの先端は開口７を貫通して載置板５の下面より突き出た状態となる。
【００１６】
歯磨きチューブ用ホルダー１の使用に際しては、上記のように吐出口Ｃを下方にして倒立状態として保持するので、歯磨きチューブＡ内の練り歯磨きは自重で下方に集まるが、練り歯磨きは、十分な粘性を有するため、キャップを外した状態で保持しても吐出口Ｃから垂れ出る現象は生じない。
【００１７】
使用者が歯磨きをするときには、載置板５が後傾しているため吐出口Ｃは使用者に見えやすい位置になっているので、容易に使用する歯磨きチューブＡの吐出口Ｃの下に歯ブラシを持っていくことができる。次に、片方の手で歯磨きチューブＡを押して、本体Ｂを支持板３に押圧すると練り歯磨きが吐出口Ｃから歯ブラシ上に絞り出される。適量のところで前記押圧する力を緩めると練り歯磨きの吐出は停止する。このように歯磨きチューブ用ホルダー１に歯磨きチューブＡを保持した状態から極めて容易に歯ブラシ上に適量の練り歯磨きを絞り出すことができる。
【実施例２】
【００１８】
図５は、本発明の実施例２に係る歯磨きチューブ用ホルダー１０の外観を示し、図６はその正面図である。
歯磨きチューブ用ホルダー１０では、載置板１５は、Ｕ字形状又は凹形状の開口１７を４つを有し、それらの開口１７は等間隔で配置され、正面方向に開放部を有する。支持板１３には、３つの境界板１８が設けられ、各境界板１８は、支持板１３の上下方向、かつ支持板面に垂直である。境界板１８は、保持中の歯磨きチューブが横方向に傾くことを防止できる。
【００１９】
また、歯磨きチューブ用ホルダー１０は、歯ブラシ立て１９も有している。使用者は、自らが使用する歯ブラシをこの歯ブラシ立て１９に保持することができるので、洗面所スペースを有効に利用することができる効果がある。
その他の構成は、実施例１の歯磨きチューブ用ホルダー１と同じである。
【００２０】
図７は、歯磨きチューブ用ホルダー１０の使用状態を示す。
使用にあたっては、実施例１の場合と同様に、歯磨きチューブＡのキャップ（図示せず）を外し、吐出口Ｃを下方にして開口１７に吐出口Ｃを入れ、次いで、歯磨きチューブＡの本体を支持板１３に倒して支持させることによって、保持する。
【００２１】
歯磨きチューブ用ホルダー１０の使用に際しては、吐出口Ｃを下向きにして保持しているので、練り歯磨きは自重によって下方に集まるが、練り歯磨きが吐出口Ｃから垂れ出ることがないことは、上記実施例１にて説明したとおりある。
歯磨きチューブＡの本体を支持板１３方向に押圧すると吐出口Ｃからの練り歯磨きが押し出され、適量出たところで押す力を緩めることにより練り歯磨きの吐出は停止するので、極めて容易に適量の練り歯磨きを絞り出すことができることについても、実施例１の場合と同じである。
【００２２】
本発明に係る歯磨きチューブ用ホルダーは、同時に複数の歯磨きチューブを保持することができるため、使用者は、その日の嗜好や必要性に応じて、また家族など複数の使用者がいるときには、各人の歯磨きチューブを置いておくことができるため衛生的にも優れている。さらに、歯ブラシ立てを本体脇に設置することができるので、洗面所の整理にも効果を発揮する。
本発明に係る歯磨きチューブ用ホルダーの背面に穴を開けたり固定部材を取り付けることにより、壁等に固定することもできる。
【産業上の利用可能性】
【００２３】
以上説明したように、本発明によると改良された歯磨きチューブ用ホルダーとして利用できる。
【符号の説明】
【００２４】
１，１０  歯磨きチューブ用ホルダー
３，１３  支持板
５，１５  載置板
７，１７  開口
１８      境界板
１９      歯ブラシ立て
Ａ        歯磨きチューブ
Ｂ        歯磨きチューブの本体
Ｃ        吐出口
Ｄ        歯ブラシ
【図１】
2011115254.tif 000003
【図２】
2011115254.tif 000004
【図３】
2011115254.tif 000005
【図４】
2011115254.tif 000006
【図５】
2011115254.tif 000007
【図６】
2011115254.tif 000008
【図７】
2011115254.tif 000009